(57)【特許請求の範囲】
【請求項１】
洗浄すべき食器類が収容される洗浄槽と、
前記洗浄槽が出し入れされる前面開口部を有し、洗浄運転を実行する洗浄機本体と、
前記洗浄機本体の前記前面開口部を開閉する扉部と、
洗浄運転時には、前記洗浄槽が前記洗浄機本体内に収容されて引き出すことができないようにロック状態となり、洗浄運転が行われていない状態では、前記洗浄槽を水平方向にスライドさせて前記洗浄機本体から引き出すことができるようにロック解除状態となるロック機構と、を備えるとともに、
洗浄運転や洗浄運転の開始前後の待機状態を含む定常時における前記ロック機構の動作とは別に、前記定常時以外の非定常時に操作されて前記ロック機構を強制的に解除動作させる非定常ロック解除手段を備えており、かつ、
(ａ)前記ロック機構は、
前記洗浄槽に配設された被係止部と、
前記洗浄機本体に配設された、前記洗浄槽が前記洗浄機本体の所定収納位置に収納されたときに前記被係止部を係止する係止部材と、前記係止部材を係止位置に向けて付勢する係止用付勢手段と、前記係止用付勢手段の付勢力に抗して前記係止部材を、前記係止位置から、前記被係止部から離脱した非係止位置まで動作させる係止解除用駆動手段とを備えた構成とされる一方、
(ｂ)前記非定常ロック解除手段は、前記係止解除用駆動手段を動作させることなく、前記係止用付勢手段の付勢力に抗した開放付勢力を与えて、前記係止部材を前記係止位置から前記非係止位置に動作させるように構成されていること
を特徴とする食器洗浄機。
【請求項２】
前記ロック機構は電気的に動作するように構成される一方、前記非定常ロック解除手段は機械的に動作されるものであることを特徴とする請求項１に記載の食器洗浄機。
【請求項３】
前記ロック機構および前記非定常ロック解除手段は、前記扉部以外の領域に配設されていることを特徴とする請求項１または２に記載の食器洗浄機。
【請求項４】
前記非定常ロック解除手段はロック解除操作用の解除操作部を備え、この解除操作部と前記係止部材の一部との間が可とう性を有する線状部材で結合されており、前記解除操作部を操作することにより前記係止部材を係止位置から非係止位置に変位させるように構成されていることを特徴とする請求項１〜３のいずれかに記載の食器洗浄機。
【請求項５】
前記解除操作部は、前記洗浄機本体の底面近傍に設けられていることを特徴とする請求項４記載の食器洗浄機。
【請求項６】
前記解除操作部は、前記洗浄機本体の底面に形成された凹部に配設されていることを特徴とする請求項５記載の食器洗浄機。
【請求項７】
前記凹部の幅が８ｍｍ以下であることを特徴とする請求項６記載の食器洗浄機。
【発明の詳細な説明】
【技術分野】
【０００１】
本発明は、食器洗浄機に関し、詳しくは、食器洗浄機本体の前面に設けられた開口部分を通じて洗浄槽を略水平方向に出し入れすることができるとともに、この洗浄槽の出し入れに連動して洗浄槽に設けられた食器類の出し入れ用の上面開口部を内蓋で開閉できるようにした引き出し式の食器洗浄機に関する。
【背景技術】
【０００２】
一般に、システムキッチンなどに組み込むためのビルトインタイプの食器洗浄機においては、洗浄機本体の前面側に設けられた開口部分を通じて洗浄槽を略水平方向にスライドさせて出し入れすることができるようにした、いわゆる引き出し式のものが適用される場合が多い。この場合、洗浄槽としては、通常、洗浄すべき食器類を出し入れできるようにその上部に上面開口部が形成され、また、洗浄機本体の前面側の開口部分を開閉する扉部が設けられたものが用いられている。さらに、洗浄機本体の内側上部には内蓋が昇降可能に設けられており、洗浄槽を洗浄機本体の所定の収納位置まで収納すると、内蓋が下降して洗浄槽の上面開口部を封止するように構成されている。
【０００３】
このような引き出し式の食器洗浄機においては、洗浄運転中に使用者が誤って洗浄槽を洗浄機本体から外部に引き出すと、これに連動して内蓋が上昇して洗浄槽の上面開口部から離間するので、洗浄槽内の洗浄水が上面開口部から外部に噴出、飛散するなどの不具合を生じる。
【０００４】
そこで、このような洗浄運転中の洗浄水の噴出防止対策として、従来技術では、例えば、ギヤモータなどのアクチュエータを設け、洗浄運転中には、アクチュエータによって内蓋を下降させて洗浄槽の上面開口部を封止するとともに、ロック機構を作用させて洗浄槽をロックするものが提案されている（例えば、下記の特許文献１参照）。
【０００５】
また、この従来技術では、アクチュエータから内蓋に至る開閉機構の寸法ばらつきに起因して、内蓋に設けられたシール材への過度の圧縮やシール材の圧縮不足などの悪影響を回避するために、緩衝用のバネを設けている。そして、アクチュエータの故障や停電などによってアクチュエータが動作不能となった場合には、洗浄槽を手動で強く手前に引っ張ることで、バネの伸縮作用によってロックを強制的に解除できるようにしている。
【０００６】
【特許文献１】特開２００５−０５８３７２号公報
【発明の開示】
【発明が解決しようとする課題】
【０００７】
上記の特許文献１記載の従来技術は、アクチュエータの故障や停電などによってアクチュエータが動作不能となった場合には、洗浄槽を手動で手前に強く引っ張ることで、バネの伸縮作用によってロックを強制的に解除できる利点がある反面、不用意に使用者が洗浄槽を強く引っ張った場合にもバネが伸長してロックが解除されるため、洗浄運転中に洗浄槽が洗浄機本体から引き出されて洗浄水が外部に噴出、飛散するなどの不具合を生じ、本来のロック機構としての機能を十分に果たさないという問題点がある。
【０００８】
本願発明は、上記の課題を解決するためになされたもので、洗浄運転中は洗浄槽が確実にロックされて使用者が不用意に洗浄槽を強く引っ張った場合にも、洗浄槽が外部に引き出されてしまうという不具合の発生を確実に防止することが可能であるとともに、故障や停電などが発生した場合には通常行う食器洗浄機の操作方法とは異なる操作によってロックを強制的に解除することが可能な食器洗浄機を提供することを目的とする。
【課題を解決するための手段】
【０００９】
上記の目的を達成するために、請求項１記載の発明にかかる食器洗浄機は、
洗浄すべき食器類が収容される洗浄槽と、
前記洗浄槽が出し入れされる前面開口部を有し、洗浄運転を実行する洗浄機本体と、
前記洗浄機本体の前記前面開口部を開閉する扉部と、
洗浄運転時には、前記洗浄槽が前記洗浄機本体内に収容されて引き出すことができないようにロック状態となり、洗浄運転が行われていない状態では、前記洗浄槽を水平方向にスライドさせて前記洗浄機本体から引き出すことができるようにロック解除状態となるロック機構と、を備えるとともに、
洗浄運転や洗浄運転の開始前後の待機状態を含む定常時における前記ロック機構の動作とは別に、前記定常時以外の非定常時に操作されて前記ロック機構を強制的に解除動作させる非定常ロック解除手段を備えており、かつ、
(ａ)前記ロック機構は、
前記洗浄槽に配設された被係止部と、
前記洗浄機本体に配設された、前記洗浄槽が前記洗浄機本体の所定収納位置に収納されたときに前記被係止部を係止する係止部材と、前記係止部材を係止位置に向けて付勢する係止用付勢手段と、前記係止用付勢手段の付勢力に抗して前記係止部材を、前記係止位置から、前記被係止部から離脱した非係止位置まで動作させる係止解除用駆動手段とを備えた構成とされる一方、
(ｂ)前記非定常ロック解除手段は、前記係止解除用駆動手段を動作させることなく、前記係止用付勢手段の付勢力に抗した開放付勢力を与えて、前記係止部材を前記係止位置から前記非係止位置に動作させるように構成されていること
を特徴としている。
【００１０】
また、請求項２記載の発明にかかる食器洗浄機は、前記ロック機構が電気的に動作するように構成される一方、前記非定常ロック解除手段は機械的に動作されるものであることを特徴としている。
【００１１】
また、請求項３記載の発明にかかる食器洗浄機は、前記ロック機構および前記非定常ロック解除手段が、前記扉部以外の領域に配設されていることを特徴としている。
【００１２】
また、請求項４記載の発明にかかる食器洗浄機は、前記非定常ロック解除手段はロック解除操作用の解除操作部を備え、この解除操作部と前記係止部材の一部との間が可とう性を有する線状部材で結合されており、前記解除操作部を操作することにより前記係止部材を係止位置から非係止位置に変位させるように構成されていることを特徴としている。
【００１３】
また、請求項５記載の発明にかかる食器洗浄機は、前記解除操作部は、前記洗浄機本体の底面近傍に設けられていることを特徴としている。
【００１４】
また、請求項６記載の発明にかかる食器洗浄機は、前記解除操作部は、前記洗浄機本体の底面に形成された凹部に配設されていることを特徴としている。
【００１５】
また、請求項７記載の発明にかかる食器洗浄機は、前記凹部の幅が８ｍｍ以下であることを特徴としている。
【発明の効果】
【００１６】
請求項１記載の発明によれば、洗浄運転時にはロック機構が動作して洗浄槽が確実にロックされるため使用者が誤って洗浄槽を洗浄機本体から外部に引き出すことはない。また、洗浄運転の開始前後の待機状態ではロック解除が行われるので洗浄槽の出し入れが可能となる。一方、このような定常時以外、例えば故障や停電時などのような非定常時においては、非定常ロック解除手段を操作することにより、ロック機構によって洗浄槽がロックされている場合でも強制的にロックを解除することができる。しかも、このロック解除の操作は、通常に行う食器洗浄機の操作方法とは異なり、非定常ロック解除手段を操作するという特別な手順でのみ可能であるから、使用者が不用意に洗浄槽のロックを解除してしまうおそれが少なく、信頼性が高い。
【００１７】
また、非定常ロック解除手段は、係止解除用駆動手段を動作させなくても、係止用付勢手段の付勢力に抗した開放付勢力を与えて係止部材を係止位置から非係止位置に動作させることができるので、係止解除用駆動手段が故障して係止部材を駆動できない場合にも洗浄槽のロック解除が可能になる。
【００１８】
また、請求項２記載の発明によれば、非定常ロック解除手段は機械的に動作されるように構成されているので、電気的に動作する係止解除用駆動手段が停電時に動作せず係止部材を駆動することができない場合にも、非定常ロック解除手段を手動で操作することによって洗浄槽のロックを確実に解除することができる。
【００１９】
また、請求項３記載の発明によれば、ロック機構および前記非定常ロック解除手段は、洗浄機本体の前面開口部を開閉する扉部以外の領域に配設されているので、扉部に余分な加工を施す必要がない。このため、例えば、食器洗浄機が組み込まれるビルトイン式のシステムキッチンに適用する場合には、システムキッチンの他の扉部と同様の仕様とすることができ、システムキッチンと一体感をもたせることができる。
【００２０】
また、請求項４記載の発明によれば、ロック機構を構成する係止部材の一端と非定常ロック解除手段を構成する解除操作部との間を可とう性の線状部材で結合しているので、解除操作部を操作することにより、線状部材を介して係止部材を係止位置から非係止位置に変位させてロックを解除することができる。そして、このように構成した場合、線状部材を洗浄機本体と洗浄槽の間の空隙などの狭いスペースに配置することができるので、ロック機構や非定常ロック解除手段の配置構成を行う上で設計の自由度を向上させることができる。
【００２１】
また、請求項５記載の発明のように、解除操作部を、洗浄機本体の底面近傍に設けるようにした場合、意図しない使用者が誤ってロック解除操作をするおそれが少なく、使用者の不注意によるロック解除操作を防止することができる。また、この解除操作部は、通常、使用者の視野に入ることがなく、食器洗浄機が組み込まれるシステムキッチンの美観を損なうことがない。
【００２２】
また、請求項６記載の発明のように、解除操作部を、前記洗浄機本体の底面に形成された凹部に配設するようにした場合、誤操作をより確実に防止することが可能になる。
【００２３】
また、請求項７記載の発明のように、凹部の幅を８ｍｍ以下にした場合、通常の使用者の場合、凹部に指が入らないため誤動作させるおそれが事実上なくなり、その一方で、通常は一般家庭に備えられているドライバーなどの工具を用いて解除操作を行うことが可能で、より高い信頼性を確保できる。
【発明を実施するための最良の形態】
【００２４】
以下、本願発明の実施例を示して、その特徴とするところをさらに詳しく説明する。
【実施例１】
【００２５】
図１は本願発明の実施例にかかる食器洗浄機の全体構成を示す概略斜視図、図２は洗浄槽の引き出し状態を示す側面断面図、図３は洗浄槽の引き出し状態を示す動作説明図、図４は洗浄槽の引き出し状態と収納状態との間の中間状態を示す側面断面図、図５は洗浄槽の引き出し状態と収納状態との間の中間状態を示す動作説明図、図６は洗浄槽の収納状態を示す側面断面図、図７は洗浄槽の収納状態を示す動作説明図、図８は洗浄槽の収納状態を一部を省略して示す平面図、図９は洗浄槽の収納状態を内蓋を除いて示す平面図である。
【００２６】
この実施例の食器洗浄機は、略箱状で、前面側に、洗浄槽２を出し入れするための前面開口部３が形成され洗浄機本体（本体ケーシング）１を備えており、洗浄機本体１の内側の収納空間内には上述の洗浄槽２が、上記前面開口部３を通して略水平方向に出し入れすることができるような態様で収容されている。
そして、この洗浄槽２の上面側には、食器類５（図１）や洗浄かご６（図６など）を出し入れするための上面開口部４が設けられている。また、洗浄機本体１の内側の上部には、洗浄槽２の上面開口部４を開閉する内蓋１０が略上下方向に昇降可能に保持された状態で配置されている。さらに、洗浄機本体１内には、洗浄運転を実行するために、図示しないが、食器洗浄用の洗浄液を循環させるポンプが設けられている。
【００２７】
また、洗浄機本体１の内側には、洗浄槽２を出し入れする際のガイド用の左右一対のレール７が配設され、その左右一対のレール７を介して洗浄槽２が洗浄機本体１の収納空間に対して、矢印Ａで示す収納移動方向と、矢印Ｂで示す引き出し移動方向へスライド移動することができるように構成されている。
【００２８】
洗浄槽２は、その前面側に洗浄機本体１の前面開口部３を開閉する扉部９が設けられており、この扉部９には把手８が設けられているとともに、使用者が洗浄運転やその停止を行うための運転／停止スイッチ５７などを有する操作パネルが設けられている。そして、使用者が把手８を把持して、洗浄槽２を引き出し移動方向Ｂへスライド移動させることにより、図１に示すように、洗浄槽２が洗浄機本体１の前方側に引き出されて、食器類５や洗浄かご６を取り出したり収納したりすることが可能になる。また、使用者が、洗浄槽２を収納移動方向Ａへスライド移動させることにより、洗浄機本体１内に洗浄槽２を収納して、食器類５を洗浄したり乾燥したりすることができるように構成されている。
【００２９】
内蓋１０は、洗浄槽２が洗浄機本体１に収納移動されると閉状態となり、洗浄槽が洗浄機本体１から引き出し移動されると開状態となるように開閉動するように構成されており、閉状態においては食器洗浄時などにおいて洗浄水が洗浄槽２から飛散することを抑制、防止し、開状態においては洗浄槽２に食器類５などを出し入れすることができるように構成されている。
【００３０】
内蓋１０の左右の各側部には、カムフォロアとして機能する前後一対のカムピン３７（図３）がそれぞれ外側に向けて突出するように設けられている。また、内蓋１０の上部と洗浄機本体１の前端部との間には、内蓋１０を洗浄機本体１の前面開口部３側に向けて付勢するコイルスプリングからなる蓋用スプリング３８が介装されている。
【００３１】
また、洗浄機本体１の内側の上部左右の側端には、図１０に示すように、前後一対の保持舌片２３が内蓋１０の各カムピン３７に個別に対応するように洗浄機本体１と一体的に設けられている。そして、各前後一対の保持舌片２３間には、クランプ部材２６が上下方向（符号Ｃで示す方向）に移動可能な状態で嵌入されている。
【００３２】
各クランプ部材２６は、合成樹脂や金属製の成形品からなり、その上部には、内蓋１０の前述のカムピン３７がそれぞれ嵌入するカム溝２２が、また、カム溝２２の両端部の外側には各保持舌片２３の上縁に当接して位置決め保持される保持片２４が形成されている。さらに、クランプ部材２６の下部には、洗浄槽２の後述の受け止め面３５（図３(イ)など）が当接することで当該クランプ部材２６の上下方向Ｃへの移動を規制するための当接部２５が形成されている。
【００３３】
前記カム溝２２は図３に示すように、中心線Ｌを中心として左右対称形に略Ｖ字状に形成されており、洗浄槽２が洗浄機本体１内に収納されたときにはカムピン３７はカム溝２２の最下方位置に、洗浄槽２が洗浄機本体１から引き出されたときにはカムピン３７はカム溝２２の最上方位置にそれぞれ移行する。
【００３４】
前記洗浄槽２は、その上面開口部４の外周に沿った各辺に外方に張り出したフランジ部３２（図３(イ)，図５(イ)）が形成され、その内の左右の各フランジ部３２からは下方へ向けて突出する状態で受け止め面３５（図３(イ)，図５(イ)）が形成され、各受け止め面３５の下縁がクランプ部材２６の当接部２５に対向している。
【００３５】
洗浄機本体１の内側後方の上部左右の位置には、内蓋開閉操作具としての一対の案内レバー１１（図３，図５）がそれぞれ配置されている。各案内レバー１１は、洗浄機本体１に固定された取付固定部１２、揺動支承軸３９、プッシュレバー１３、および案内ピン１４を備えている。そして、プッシュレバー１３の基端側は、取付固定部１２に設けられた揺動支承軸３９を軸心として揺動自在に取り付けられ、また、先端側には上下方向に沿って延びる円筒状の案内ピン１４が設けられている。
【００３６】
一方、内蓋１０の後端部の左右には、洗浄槽２の移動方向と直交する方向に延びる長穴１６（図３(イ)）が形成されており、各長穴１６にプッシュレバー１３の先端部の案内ピン１４が常時嵌入されている。これにより、案内ピン１４が長穴１６に沿って摺動する摺動可能範囲内でプッシュレバー１３が揺動し得るので、これに応じて内蓋１０もプッシュレバー１３の揺動可能範囲内で前後方向（図３(ロ)の左右方向）に沿って移動するように構成されている。そして、前述のように、内蓋１０の左右にはカムピン３７が固定されているので、内蓋１０の前後の移動に伴ってカムピン３７は、クランプ部材２６のカム溝２２に沿って摺動する。
【００３７】
また、洗浄槽２の後方端の上部左右には、図９に示すように、洗浄槽溝１５が案内レバー１１に個別に対応して設けられている。この洗浄槽溝１５は、例えば図３(ロ)に示すように、嵌合手前側当接部１７と奥側当接部１８とで囲まれた状態で形成されており、嵌合手前側当接部１７は洗浄槽２の側面まで延び、また奥側当接部１８は途中で後方側に後退するようにそれぞれ形成されている。そして、各洗浄槽溝１５は、プッシュレバー１３の揺動によってプッシュレバー１３の先端の案内ピン１４と係脱するように構成されている。
【００３８】
また、洗浄機本体１内の後方箇所には、洗浄槽２を収納方向および引き出し方向に移動させる際にその移動力を補助するための左右一対のトグル機構２７が設けられている。
【００３９】
これらの各トグル機構２７は、洗浄槽２の後端部に係合用ピン３６が配設される一方、洗浄機本体１の後端部には、略Ｌ字状のレバー２９が枢支ピン３１によって揺動自在に設けられ、このレバー２９の枢支ピン３１を挟む一端側には上記の係合用ピン３６に係合する係合用切欠き２８が形成され、他端側は洗浄機本体１に一端が固定されたコイルスプリング３０（図３(イ)，図５(イ)）の他端が取り付けられて構成されている。これにより、レバー２９に対するコイルスプリング３０の付勢力（回動作用方向）が、図５(イ)に示す設定切換位置Ｄを境として時計方向と反時計方向とに切り換わるように構成されている。
【００４０】
また、この実施例では、洗浄機本体１内の後部側にロック機構４０が設けられている。このロック機構４０は、洗浄運転時には洗浄槽２が洗浄機本体１内に収納されて引き出すことができない状態であるロック状態と、洗浄運転が行われていない状態では洗浄槽２を洗浄機本体１内から自由に引き出すことができる状態であるロック解除状態とを実現することができるように構成されている。
【００４１】
すなわち、このロック機構４０は、この実施例の場合、具体的には図１１，図１２に示すように、洗浄槽２の後端部に、被係止部としてストライクピン４１を配設するとともに、洗浄槽２が洗浄機本体１の所定の収納位置に収納されたときにストライクピン４１を係止する係止部材としてのフック４２、このフック４２をストライクピン４１の係止位置側に向けて付勢する係止用付勢手段としての捩りバネ４３、この捩りバネ４３の付勢力に抗してフック４２をストライクピン４１の係止位置から、非係止位置まで、すなわちストライクピン４１から離脱した位置まで動作させる係止解除用駆動手段としてのカム４４をそれぞれ配設することにより構成されており、カム４４のカム軸４８には、カム４４を回転駆動する図示しないカム駆動モータが連結されて構成されている。
【００４２】
そして、フック４２は、洗浄機本体１に固定された支軸４５によって揺動可能に支持されるとともに、この支軸４５に巻回された捩りバネ４３によってストライクピン４１の係止位置に向けて付勢（図１２では時計方向に付勢）されている。さらに、フック４２には、ストライクピン４１と対向する先端部分に傾斜部４６が形成されている。この傾斜部４６は、洗浄槽２を所定の収納位置まで移動させたときにストライクピン４１が当接して捩りバネ４３による付勢力に抗してフック４２を非係止位置まで円滑に移動させるように作用するものである。
また、フック４２の傾斜部４６が形成された側には後述する非定常ロック解除手段６２を構成するインナワイヤ６４の一端が接続されている。
【００４３】
また、フック４２の遮光部材４７に近接してフック４２が係止位置にあるか、あるいは非係止位置にあるかを検出する係止部材位置センサとしてのフック位置センサ５０が配設されている。フック位置センサ５０は、例えば投光部５０ａと受光部５０ｂとが対向配置されたフォトカプラからなる。
また、上記フック４２の傾斜部４６と支軸４５を挟んで反対側の位置には、遮光部材４７が突設されている。この実施例の構成においては、図１２(イ)に示すように、フック４２の遮光部材４７が投光部５０ａと受光部５０ｂとの間に介在するときには、受光部５０ｂの出力がオフとなり、フック４２が係止位置にあることが検出される。また、図１２(ロ)に示すように、遮光部材４７が投光部５０ａと受光部５０ｂとの間から離脱したときには、受光部５０ｂの出力がオンとなり、フック４２が非係止位置にあることが検出される。
【００４４】
また、図１３，図１４に示すように、上記のロック機構４０に対して、非定常ロック解除手段６２が設けられている。この非定常ロック解除手段６２は、洗浄運転や、洗浄運転の開始前後の待機状態のような定常時におけるロック機構４０の動作とは別に、ロック機構４０の故障や停電時などの非定常時に手動操作されてロック機構４０を強制的に解除動作させるものである。この非定常ロック解除手段６２は、ロック解除用の解除操作部としてのリリースレバー６３を備え、このリリースレバー６３とフック４２との間が可とう性を有する線状部材としてのインナワイヤ６４を介して互いに結合されている。また、インナワイヤ６４の途中には、インナワイヤ６４をガイドするとともに、動作を滑らかにするためのスリーブ６５が配置されている。
【００４５】
この非定常ロック解除手段６２においては、リリースレバー６３を操作しない状態において、図１２(イ)に示すようにフック４２が係止位置にあるときには、インナワイヤ６４の弛みが少ない状態になるように、逆に図１２(ロ)に示すようにフック４２が非係止位置にあるときには、インナワイヤ６４が十分に弛んだ状態になるように、インナワイヤ６４の長さが予め設定されている。そして、リリースレバー６３を操作すると、その操作力がインナワイヤ６４を介してフック４２に伝達されて捩りバネ４３の付勢力に抗した開放付勢力となり、カム４４を動作させることなくフック４２を係止位置から非係止位置に変位させるように構成されている。
【００４６】
このように、インナワイヤ６４を用いた構成とした場合、インナワイヤ６４を洗浄機本体１と洗浄槽２の間の空隙などの狭いスペースに配置することができるので、ロック機構４０や非定常ロック解除手段６２の配置構成を行う上で設計の自由度を向上させることができる。
【００４７】
上記のリリースレバー６３は、扉部９から外れた領域、本例では、洗浄機本体１の前面開口部３に接近した底面近傍に配設されている。この場合のリリースレバー６３の具体的な取り付け構造としては、図１５，図１６に示すように、洗浄機本体１の底部に固定されたスライドベース６６にリリースレバー６３が摺動可能に設けられるとともに、スライドベース６６から突設されたストッパ６７がリリースレバー６３に形成された長穴６８に嵌入されており、これによってリリースレバー６３の摺動範囲が規制されて長穴６８の長さ分だけ左右に移動できるように構成されている。また、リリースレバー６３とスライドベース６６との間には、コイルスプリングからなる戻しバネ６９が介在しており、リリースレバー６３を操作しないときには、この戻しバネ６９の付勢力によって長穴６８の図中右端がストッパ６７に当接した状態となるように構成されている。
【００４８】
このように、この実施例ではリリースレバー６３が洗浄機本体１の前面開口部３に接近した底面近傍に配設されているため、ロック解除操作を意図しない使用者によって誤操作され、ロックが不意に解除されるおそれをなくすことができる。また、リリースレバー６３は、通常、使用者の視野に入ることがなく、また、扉部９に余分な加工を施す必要がないので、例えば、食器洗浄機が組み込まれるビルトイン式のシステムキッチンに適用する場合には、他の扉部と同様の仕様とすることが可能で、デザインの統一性を図ることができる。
【００４９】
また、図１７(イ)，(ロ)に示すように、洗浄槽２の後端部には取付板５２が設けられ、この取付板５２に洗浄槽位置センサ５３が固定されるとともに、この洗浄槽位置センサ５３に近接してレバー５４が揺動自在に取り付けられている。また、洗浄機本体１のレール７の取付板５５にはレバー５４に対向する位置にレバー押圧用の突起部５６が形成されている。
【００５０】
この洗浄槽位置センサ５３は、洗浄槽２が所定の収納位置にあるか否かを検出するものであって、前述のフック位置センサ５０と同様、例えば投光部５３ａと受光部５３ｂとが対向配置されたフォトカプラからなる。そして、図１７(イ)に示すように、レバー５４が突起部５５から離間していて投光部５３ａと受光部５３ｂとの間に位置するときには、受光部５３ｂの出力がオフするので、洗浄槽２が所定の収納位置から前方に引き出されていることが検出され、また、図１７(ロ)に示すように、レバー５４が突起部５５に押圧されて投光部５３ａと受光部５３ｂとの間から離脱したときには、受光部５３ｂの出力がオンするので、洗浄槽２が所定の収納位置に収納されたことが検出されるように構成されている。
【００５１】
図１８はこの実施例における、食器洗浄機の動作制御系の概略構成を示すブロック図である。
【００５２】
制御手段としてのコントローラ５８は、例えばマイクロコンピュータからなるもので、所定の制御プログラムをインストールすることにより、運転／停止スイッチ５７からの操作信号、および前述のフック位置センサ５０と洗浄槽位置センサ５３からの検出信号に基づいて洗浄液を循環させるポンプ５９、およびカム４４を駆動するカム駆動モータ６０の動作を制御するように構成されている。なお、このコントローラ５８による制御動作については以下に詳述する。
【００５３】
次に、上記構成を備えた食器洗浄機の動作について説明する。
(１)洗浄槽２の収納移動および引き出し移動に伴う内蓋１０の開閉動作
洗浄槽２が洗浄機本体１から引き出された状態では、図３(ロ)に示すように、洗浄機本体１の案内ピン１４は洗浄槽溝１５から離脱しており、また内蓋１０は蓋用スプリング３８で洗浄機本体１の前方開口側に引っ張られているので、各案内ピン１４は内蓋１０の長穴１６内の外方端側の位置（以下、引き出し操作位置という）にある。このため、内蓋１０のカムピン３７はクランプ部材２６のカム溝２２の最上方位置に移行しており、したがって、内蓋１０は上昇して洗浄槽２の上面開口部４から離脱している。
【００５４】
この状態から洗浄槽２を収納方向Ａへ次第に移動させていく場合、洗浄槽２が図４および図５に示す中間位置に到達するまでの範囲では、洗浄槽溝１５は案内ピン１４に依然として係合しないので、案内ピン１４は引き出し操作位置に保持されている。
【００５５】
そして、洗浄槽２が図４および図５に示す中間位置に到達すると、図５(ロ)に示すように、洗浄槽２の手前側当接部１７が案内ピン１４に当接する。洗浄槽２をさらに収納方向Ａへ移動させると、案内ピン１４が洗浄槽２の手前側当接部１７によって押圧されるので、案内ピン１４は内蓋１０の長穴１６に沿って内方に向けて摺動するとともに、洗浄槽溝１５内に嵌入する。これに伴いプッシュレバー１３が図中反時計方向に回動する。このプッシュレバー１３の回動によって内蓋１０が蓋用スプリング３８の引っ張り力に抗して収納方向Ａへ押し移動される。そのため、内蓋１０のカムピン３７はクランプ部材２６のカム溝２２の最上方位置から最下方位置に向けて移行し、その結果、内蓋１０が洗浄槽２の上面開口部４に向けて下降する。
【００５６】
洗浄槽２を最終の収納位置まで移動させると、図７(ロ)に示すように、各案内ピン１４は内蓋１０の長穴１６内の内方端側の位置（以下、収納操作位置という）に移行する。これに伴い、内蓋１０のカムピン３７はクランプ部材２６のカム溝２２の最下方位置に移行し、その結果、各クランプ部材２６の当接部２５が、洗浄槽２の受け止め面３５に当接し、クランプ部材２６の開閉方向Ｃへの移動が阻止されるとともに、内蓋１０が洗浄槽２側に押し付けられて洗浄槽２の上面開口部４が確実に封止される。
【００５７】
一方、洗浄槽２を最終の収納位置から引き出し方向Ｂへ移動させるときは、上記の説明とは逆の動作となる。すなわち、洗浄槽２の手前側当接部１７による案内ピン１４への押圧作用が解除されるとともに、内蓋１０には蓋用スプリング３８の引っ張り力が加わるため、案内ピン１４は内蓋１０の長穴１６に沿って収納操作位置から引き出し操作位置に向けて摺動するとともに、内蓋１０のカムピン３７はクランプ部材２６のカム溝２２の最下方位置から最上方位置まで移行する。その結果、内蓋１０が洗浄槽２の上部開口部から離間して開状態となる。
【００５８】
このように、洗浄槽２を収納移動および引き出し移動すると、これに応じて案内レバー１１、クランプ部材２６のカム溝２２、および蓋用スプリング３８の相互作用によって内蓋１０が連動して内蓋１０の開閉操作が行われることになる。
【００５９】
(２)洗浄槽２の収納移動および引き出し移動に伴うトグル機構２７の動作
洗浄槽２を洗浄機本体１の収納空間に収納した状態では、図６、図７(イ)に示すように、洗浄槽２から後方に向けて突出する係合用ピン３６が、レバー２９の係合用切欠き２８内に嵌入し、コイルスプリング３０の付勢力に起因するレバー２９の回動力が、洗浄槽２の収納移動方向Ａ側に作用する。
【００６０】
その際、前述のように、洗浄槽２の手前側当接部１７が案内ピン１４に当接してこれを収納移動方向Ａ側に押圧しているので、内蓋１０のカムピン３７がカム溝２２内における最下方位置に位置し、その結果、内蓋１０が洗浄槽２の上面開口部４を密閉した状態となる。
【００６１】
この収納状態から洗浄槽２を引き出し移動方向Ｂ側へ移動すると、レバー２９がコイルスプリング３０の付勢力に抗して引き出し移動方向Ｂ側に回動され、レバー２９が図５(イ)に示した設定切換位置Ｄを越えると、図３(イ)、図４に示すように、コイルスプリング３０の付勢力に起因するレバー２９の回動力が、引き出し移動方向Ｂ側に作用するように切り換わる。これにより、コイルスプリング３０の付勢力によって、洗浄槽２が引き出し移動方向Ｂ側に押し出され、その後、係合用ピン３６が係合用切欠き２８から外れるとともに、前述のように内蓋１０の上昇による洗浄槽２の上面開口部４の閉鎖が解除されるので、洗浄槽２を洗浄機本体１から引き出すことができるようになる。
【００６２】
この引き出し状態から逆に洗浄槽２を収納移動方向Ａ側へ押し込むと、洗浄槽２から突出する係合用ピン３６がレバー２９の係合用切欠き２８内に嵌入してこれを押圧するので、引き出し時とは逆に、レバー２９をコイルスプリング３０の付勢力に抗して収納移動方向Ａ側に回動させる。そして、レバー２９が設定切換位置Ｄを越えると、レバー２９の回動力が収納移動方向Ａ側に作用するように切り換わるので、コイルスプリング３０の付勢力によって洗浄槽２が収納移動方向Ａ側に引き込まれる。
【００６３】
このように、洗浄槽２の収納移動および引き出し移動に伴って、トグル機構２７のレバー２９に対するコイルスプリング３０の付勢力（回動作用方向）が、設定切換位置Ｄを境として時計方向と反時計方向とに切り換わるので、洗浄槽２の収納移動および引き出し移動を小さな操作力でもって行うことが可能になる。
【００６４】
(３)食器洗浄機の運転／停止などに伴うコントローラ５８による制御動作
洗浄運転開始前や洗浄運転後の待機状態においては、コントローラ５８はカム駆動モータ６０を駆動してカム４４を回動させ、フック４２を洗浄槽２のストライクピン４１から離脱した非係止位置に保持する（図１２(ロ)の状態）。すなわち、待機状態では洗浄槽２はロック機構４０によるロックが解除されているので、洗浄槽２の出し入れを自由に行うことが可能で、食器の出し入れも自由に行うことができる。
【００６５】
コントローラ５８は、運転／停止スイッチ５７が操作されて洗浄運転が指令されたときには、まず洗浄槽位置センサ５３の検出出力がオンになっているか否かを判定する。洗浄槽位置センサ５３がオンになっていれば、洗浄槽２が所定の収納位置に収納されたと見なされるので、カム駆動モータ６０を起動する。これにより、カム４４が回動されてフック４２が係止位置まで移動するので、フック４２によって洗浄槽２のストライクピン４１が係止される（図１２(イ)の状態）。その際、コントローラ５８は、フック位置センサ５０がオフになっているか否かを判定する。フック位置センサ５０がオフになっておれば、フック４２によって洗浄槽２のストライクピン４１が確実に係止されたと見なされるので、このときに初めてコントローラ５８はポンプ５９を起動する。これにより、洗浄運転が開始され、ポンプ５９で加圧された洗浄水が食器類５に吹き付けられて洗浄が実施される。
【００６６】
そして、この洗浄運転中は、捩りバネ４３の作用によってフック４２がストライクピン４１を確実に係止しているので、洗浄槽２が収納位置にロックされた状態が安定的に保持される。したがって、使用者が不用意に洗浄槽２を強く引っ張った場合でも、洗浄槽２が外部に引き出されてしまうという不具合の発生を確実に防止することができる。
【００６７】
所定の洗浄時間が経過し、洗浄運転が終了して待機状態に移行する場合、あるいは洗浄運転中に運転／停止スイッチ５７が操作されて運転停止が指令された場合、コントローラ５８は、これに応じて先ずポンプ５９を停止した後、カム駆動モータ６０を駆動してカム４４を作動させ、フック４２を捩りバネ４３の付勢力に抗して回動させてストライクピン４１から離脱した非係止位置まで移動させる（図１２(ロ)の状態）。これにより、洗浄槽２はロック機構４０によるロックが再び解除されるので、洗浄槽２の出し入れを自由に行うことができる。
【００６８】
(４)停電時や故障時における非定常ロック解除手段６２によるロック機構の解除動作
リリースレバー６３が、図１５に示すように戻りバネ６９によって左方向に引っ張られている通常の状態で、ロック機構４０のフック４２がストライクピン４１を係止し、かつ、洗浄槽２が洗浄機本体１にロックされている場合には、インナワイヤ６４の弛みは少ない状態となっている。
【００６９】
このように洗浄槽２が洗浄機本体１にロックされている状態で、停電時や故障などの非定常状態となり、カム駆動モータ６０が動作しなくなった場合、洗浄槽２のロックを強制的に解除して洗浄途中の食器類５を外に取り出すことが必要になる場合がある。
【００７０】
そのような場合には、図１６に示すように、リリースレバー６３を手動で右方向にスライドさせる。これによりインナワイヤ６４が引っ張られてロック機構４０のフック４２に力が伝達される。ここで、ストライクピン４１がフック４２で係止されている状態では、フック４２は捩りバネ４３によって係止位置に付勢されているだけであって、カム４４による拘束はないので、フック４２は、インナワイヤ６４により引っ張られ、捩りバネ４３の付勢力に抗して係止位置から非係止位置に変位し、ストライクピン４１との係合が解かれる。これにより、洗浄槽２のロックが解除されるため、洗浄槽２を引き出すことができる。
【００７１】
その後、リリースレバー６３から手を離すと、戻しバネ６９の付勢力によってリリースレバー６３は左方向にスライドし、図１５に示した初期の状態に復帰する。このとき、インナワイヤ６４も緩むので、フック４２は捩りバネ４３の付勢力によって非係止位置から係止位置に変位する。しかし、ストライクピン４１は既にフック４２から離間しているので、洗浄槽２がロックされることはない。
【００７２】
この実施例の食器洗浄機においては、上述のように、停電時や万一の故障などによりカム駆動モータ６０が動作しない状態（非定常状態）になった場合にも、リリースレバー６３を操作することにより、容易に洗浄槽２のロック解除を行うことができる。しかも、この非定常時においては、通常に行う食器洗浄機の操作方法とは異なり、リリースレバー６３を操作するという特別な手順でのみロック解除を行うことができるように構成されているので、ロック解除操作を意図しない使用者の誤操作により、洗浄槽２のロックが解除されるおそれがなく、高い信頼性を確保することができる。
【００７３】
なお、洗浄槽２のロック解除後に洗浄槽２を引き出して食器類を取り出した後は、停電からの復電や故障の修理が済んでいない状態でも、洗浄槽２を洗浄機本体１の所定の収納位置まで移動させると、ストライクピン４１がフック４２の先端の傾斜部４６に当接して押圧し、フック４２が捩りバネ４３の付勢力に抗して非係止位置まで移動（揺動）し、再びストライクピン４１がフック４２に係止された状態になる。このため、洗浄槽２を所定の収納位置まで押し込むことができる。
【００７４】
したがって、洗浄槽２が引き出された状態のままで、引き出した洗浄槽２が邪魔になったり、洗浄槽２が引き出されたままの見苦しい状態のまま放置せざるを得なくなるというような事態を回避することが可能になり、かつ、洗浄槽２を収納する際に、ストライクピン（被係止部）４１とフック（係止部材）とが当接しても無理な応力が発生しないため、ロック機構４０の破損、変形などの故障の発生を確実に防止することができる。
【００７５】
なお、上記実施例の食器洗浄機では、トグル機構２７を設けた例を示したが、このトグル機構２７は必須のものではなく、トグル機構２７を省略した構成とすることもできる。
【００７６】
また、上記実施例では、ロック機構４０を洗浄機本体１内の後端部側に設けているが、ロック機構４０の位置は必ずしも洗浄機本体１内の後端部側に設ける必要はなく、他の位置に設けることも可能である。その場合、洗浄機本体１の前側開口部３を開閉する扉部９以外の領域に設けることが望ましい。
【００７７】
また、上記実施例では、非定常ロック解除手段６２のリリースレバー（解除操作部）６３を洗浄機本体１の前面開口部３に接近した底面近傍に配設したが、リリースレバー６３は必ずしもこの位置に設ける必要はなく、ロック解除操作を意図しない使用者によって不用意に洗浄槽２のロックが解除されるおそれがなく、通常に行う食器洗浄機の操作方法とは異なることが使用者に明確に認識できるような扉部９から外れた領域であれば、任意の箇所に配設することが可能である。
【００７８】
一方、本願発明のより好ましい実施の態様としては、解除操作部は、洗浄機本体の底面に形成された凹部に配設することが望ましく、また、凹部の幅は８ｍｍ以下とすることが望ましい。これは、解除操作部を洗浄機本体の底面に形成された凹部に配設するようにした場合、誤操作をより確実に防止することが可能になること、特に、凹部の幅を８ｍｍ以下にした場合、通常の使用者の場合、凹部に指が入らないため誤動作させるおそれが事実上なくなり、その一方で、通常は一般家庭に備えられているドライバーなどの工具を用いて解除操作を行うことが可能で、より高い信頼性を確保できることによる。なお、その場合の凹部の配設位置や形状、解除操作部の具体的な構成に特別の制約はなく、上記実施例の構成を適宜応用することが可能である。
【００７９】
本発明は、さらにその他の点においても上記実施例に限定されるものではなく、発明の範囲内において、種々の応用、変形を加えることが可能である。
【図面の簡単な説明】
【００８０】
【図１】本発明の実施例にかかる食器洗浄機の全体構成を示す概略斜視図である。
【図２】本発明の実施例にかかる食器洗浄機を構成する洗浄槽が引き出し状態にある場合を示す側面断面図である。
【図３】本発明の実施例にかかる食器洗浄機の動作を説明する図であって、洗浄槽が引き出し状態にある場合を示す図である。
【図４】本発明の実施例にかかる食器洗浄機を構成する洗浄槽が引き出し状態と収納状態との間の中間状態にある場合を示す側面断面図である。
【図５】本発明の実施例にかかる食器洗浄機の動作を説明する図であって、洗浄槽が引き出し状態と収納状態の中間状態にある場合を示す図である。
【図６】本発明の実施例にかかる食器洗浄機を構成する洗浄槽が収納状態にある場合を示す側面断面図である。
【図７】本発明の実施例にかかる食器洗浄機の動作を説明する図であって、洗浄槽が収納状態にある場合を示す図である。
【図８】本発明の実施例にかかる食器洗浄機を構成する洗浄槽の収納状態を、一部を省略して示す平面図である。
【図９】本発明の実施例にかかる食器洗浄機を構成する洗浄槽の収納状態を、内蓋を除いて示す平面図である。
【図１０】本発明の実施例にかかる食器洗浄機を構成するクランプ部材の洗浄機本体への取り付け状態を示す斜視図である。
【図１１】本発明の実施例にかかる食器洗浄機を構成するロック機構の平面図である。
【図１２】本発明の実施例にかかる食器洗浄機を構成するロック機構の側面図である。
【図１３】本発明の実施例にかかる食器洗浄機の非定常ロック解除手段の配設態様を模式的に示す側面図である。
【図１４】本発明の実施例にかかる食器洗浄機の非定常ロック解除手段の配設態様を模式的に示す底面図である。
【図１５】非定常ロック解除手段の解除操作部を操作していない状態を示す平面図である。
【図１６】非定常ロック解除手段の解除操作部を操作した状態を示す平面図である。
【図１７】本発明の実施例にかかる食器洗浄機を構成する洗浄槽位置センサの取り付け状態を示す要部側面断面図である。
【図１８】本発明の実施例にかかる食器洗浄機の動作制御系の概略構成を示すブロック図である。
【符号の説明】
【００８１】
１        洗浄機本体（本体ケーシング）
２        洗浄槽
３        前面開口部
４        上面開口部
９        扉部
１０      内蓋
４０      ロック機構
４１      ストライクピン（被係止部）
４２      フック（係止部材）
４３      捩りバネ（係止用付勢手段）
４４      カム（係止解除用駆動手段）
４６      傾斜部
５０      フック位置センサ（係止部材位置センサ）
５３      洗浄槽位置センサ
５７      運転／停止スイッチ
５８      コントローラ（制御手段）
５９      ポンプ
６０      カム駆動モータ
６２      非定常ロック解除手段
６３      リリースレバー（解除操作部）
６４      インナワイヤ（可撓性の線状部材）
【図１】
0005032291.tif 000002
【図２】
0005032291.tif 000003
【図３】
0005032291.tif 000004
【図４】
0005032291.tif 000005
【図５】
0005032291.tif 000006
【図６】
0005032291.tif 000007
【図７】
0005032291.tif 000008
【図８】
0005032291.tif 000009
【図９】
0005032291.tif 000010
【図１０】
0005032291.tif 000011
【図１１】
0005032291.tif 000012
【図１２】
0005032291.tif 000013
【図１３】
0005032291.tif 000014
【図１４】
0005032291.tif 000015
【図１５】
0005032291.tif 000016
【図１６】
0005032291.tif 000017
【図１７】
0005032291.tif 000018
【図１８】
0005032291.tif 000019